(57)【要約】      （修正有）【課題】鏡絵の美しさをそのままに、開き部分以上の扇部分が、実物同様に回転可能な扇ねぷたを、誰でも簡単に再現できる新たなペーパークラフトセットを提供する。【解決手段】複数枚の厚紙の表面に、複数の展開図形状であって各部を切り抜き、糊代を接着して、額部４、同額部４を搭載状に一体化可能な台部５、鏡絵や文字などを表示した扇部２、および、該扇部２の下部周囲を包囲可能な開き部３を夫々立体形成可能とする展開カラー部品２，３，４，５群を印刷する。該展開カラー部品表示部以外の厚紙の表面適所に説明表示部を印刷してなるクラフト紙に、補強紙６，６ならびに足割ピン７を組み合わせて、ねぷたペーパークラフトセットを構成する。【選択図】図２２
0003161683.tif 000002
【実用新案登録請求の範囲】
【請求項１】
１枚または複数枚の厚紙表面に、複数の展開図形状であって各部を切り抜き、糊代を接着して、額部、同額部を搭載状に一体化可能な台部、鏡絵や文字などを表示した扇部、および、該扇部の下部周囲を包囲可能な開き部を夫々立体形成可能とする展開カラー部品群を印刷すると共に、該展開カラー部品表示範囲以外の厚紙表面適所、および／または、厚紙裏面適所に、図または写真ならびに文章表示にて組み立て手順を表示可能とする説明表示部を印刷してなるクラフト紙に、立体化した場合の開き部底部および額部天部に貼着可能、且つ中央に軸孔を穿設または穿設可能としてなる補強紙、ならびに、各軸孔に縦貫可能な足割ピンを組み合わせてなるものとしたことを特徴とするねぷたペーパークラフトセット。
【請求項２】
１枚または複数枚のＡ４判厚紙表面に、複数の展開図形状であって各部を切り抜き、糊代を接着して、額部、同額部を搭載状に一体化可能な台部、鏡絵や文字を表示した扇部、および、該扇部の下部周囲を包囲可能な開き部を夫々立体形成可能とする展開カラー部品群を印刷すると共に、該展開カラー部品表示範囲以外の厚紙表面適所、および／または、厚紙裏面適所に、図または写真ならびに文章表示にて組み立て手順を表示可能とする説明表示部を印刷してなるクラフト紙に、立体化した場合の開き部底部および額部天部に貼着可能、且つ中央に軸孔を穿設または穿設可能としてなる補強紙、ならびに、各軸孔に縦貫可能な足割ピンを組み合わせてなるものとしたことを特徴とするねぷたペーパークラフトセット。
【請求項３】
請求項１または２何れか一方記載のねぷたペーパークラフトセットの各クラフト紙展開カラー部品表示範囲から、各展開カラー部品を切り抜き、適宜糊代を接着して額部、同額部を搭載状に一体化した台部、鏡絵や文字を表示した扇部、および、該扇部の下部周囲を包囲可能な開き部を夫々立体形成し、該開き部底部および額部天部の夫々に１枚ずつ補強紙を貼着すると共に、該額部天部補強紙上に、開き部底部補強紙を重ね合わせるよう載置し、各補強紙の軸孔同士を足割ピンで縦貫、鉛直軸心回りに回転自在とするよう連結した上、当該開き部底部上に、扇部底壁を貼着一体化し、当該台部額部上に、開き部以上の扇部を回転自在に組み合わせ一体化してなるものとした、請求項１または２何れか一方記載のねぷたペーパークラフトセットを利用したねぷた装飾品。                                                                        
【考案の詳細な説明】
【技術分野】
【０００１】
この考案は、所謂ペーパークラフト技術に関連するものであり、特に展開形状、紙製の複数部品を「ねぷた」の立体的小型模型とするよう組み立て可能とするペーパークラフトセット、およびそれを利用した装飾品や模型などを製造、提供する分野は勿論のこと、その輸送、保管、組み立ておよび展示、販売、利用に必要となる設備、器具類を提供、販売する分野から、それら資材や機械装置、部品類に必要となる素材、例えば木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑等の回収、運搬等に係わる分野、それらゴミ屑を効率的に再利用するリサイクル分野などの外、現時点で想定できない新たな分野までと、関連しない技術分野はない程である。                                  
【背景技術】
【０００２】
（着目点）
厚紙を適宜裁断して立体ミニチュア模型を製作するペーパークラフトは、一部の愛好家や専門家などが様々な技術を発展させてきており、こうした限られた人々の手による作品が、時折開催される各種展示会に出展されたり、撮影写真を雑誌類の表紙や挿絵、広告などとして広く利用されたりはしているものの、全くの未経験者が、その素材選びから裁断、組み立てまでの一通りの工程を辿って所望する作品を完成させようとするのは至難の業であり、到底一朝一夕に習得できるものではない。
【０００３】
（従来の技術）
（従来の技術）
こうした実態に鑑み、少しでも簡便にペーパークラフトに馴染むことができるようにしようとする提案が、これまでに散見されない訳ではない。
例えば、下記の特許文献１（１）ないし（３）に提案されているものに代表されるように、例えば名刺や封筒、ティッシュカートンパックなど既存の紙製品にペーパークラフト用の展開図形を印刷、表示し、他者または他社製品との差別化を図り、広告効果や販売促進、封書の開封率アップなど様々な効果を目的とするものや、特許文献１（４）の切り抜き前の普通紙表面に展開図形を印刷、表示し、裏面糊代部分に糊面を設けると共に、同普通紙裏面全体に剥離紙を貼着して糊付けなどの作業性を改善し、製作時間の短縮化を達成可能となるようにしたもの、また、同特許文献１（５）に見られるような、複数部品の組み合わせからなるペーパークラフトの部品同士の連結箇所に、立体凹凸嵌合部分からなる関節を形成し、例えばロボットや人形などの関節部分を曲げ伸ばし可能として遊べるようにしてなるものなどが見受けられる。
【０００４】
本願考案者は、弘前ねぷた祭りで大勢の市民が山車を市中に繰り出して練り歩く「扇ねぷた」を、実物と同様に、上部扇部分を回転可能な立体模型とするようペーパークラフトで再現することはできないものかと考えていたが、前者特許文献１（１）ないし（３）に示されているような既存紙製品にペーパークラフト用の展開図形を印刷、表示してなるものは、広告効果や販売促進などには有効であるとしても、対象紙製品によって部品点数や組み立て構造などに制限を受けてしまう上、回転機構を組み込むようにしたもののは非常に取り扱いが難しくなり、また、特許文献１（４）のように、裏面糊代部分に糊を塗布し、剥離紙を貼着してなるものは、組み立て作業を大幅に効率化することができたとしても、可動部分を実現化する点において技術的に不十分なものになってしまうという難点があり、更にまた、特許文献１（５）に代表する関節可動としたペーパークラフトは、軸受け孔とこれに３６０°回転自在に組み込まれる接続軸とが、脱抜自在に組み込まれるものとなっていて、特に、接続軸を軸受け孔に都合良く嵌合する筒状に製作するのに手間が掛かる上、僅かな製作誤差で外れ易くなってしまったり、外れ難くするよう、きつめに嵌合する如く作製すると、今度は嵌合部分同士の摩擦が大きくなり過ぎて回転操作し難くなってしまう虞があるという致命的な欠点を有するものであった。                                      
【特許文献１】（１）特開２００４−１４９１６２号公報    （２）特開２００８−３０７６７号公報    （３）特開２００８−２２１６９２号公報    （４）実用新案登録第３０４８７６３号公報    （５）実用新案登録第３０６８３１４号公報
【考案の開示】
【考案が解決しようとする課題】
【０００５】
（問題意識）
上述したとおり、従前までに提案のある各種ペーパークラフト技術は、何れも、基本的に未経験者が容易に組み立てることを狙いとしてはいるものの、本願考案者が希望する「扇ねぷた」の外観を再現すると共に、開き部分以上の扇部分が、山車上で鉛直軸心回りに回転するという動きを、その軸着部分が容易に分離しないよう簡単な構造で再現できるものとはなっておらず、また、そうした動きを実現化できるペーパークラフトも未だ存在していないという実情に鑑み、弘前ねぷた祭りに深く関心を抱く者の一人としては、それらを可能ならしめるペーパークラフト技術を完成して「扇ねぷた」置物に適用すれば、従来には見受けられないペーパークラフトによる置物としての価値観も手伝って、この地域を代表する伝統行事「扇ねぷた」が、地元一般市民や観光客に強く印象付けられ、より身近な行事として定着することとなり、末永く引き継がれていくようにする普及、宣伝の一助になり得るであろうとの想いに駆らることとなった。
【０００６】
（考案の目的）
そこで、この考案は、鏡絵の美しさをそのままに、開き部分以上の扇部分が、実物同様に回転可能な扇ねぷたを、誰でも簡単に再現できる新たなペーパークラフト技術の開発はできないものかとの判断から、逸速くその開発、研究に着手し、長期に渡る試行錯誤と幾多の試作、実験とを繰り返してきた結果、今回、遂に新規な構造のねぷたペーパークラフトセット、およびそれを利用した新規な構造のねぷた装飾品を実現化することに成功したものであり、以下では、図面に示すこの考案を代表する実施例と共に、その構成を詳述することとする。                                                                                                      
【課題を解決するための手段】
【０００７】
（考案の構成）
図面に示すこの考案を代表する実施例からも明確に理解されるように、この考案のねぷたペーパークラフトセットは、基本的に次のような構成から成り立っている。
即ち、１枚または複数枚の厚紙表面に、複数の展開図形状であって各部を切り抜き、糊代を接着して、額部、同額部を搭載状に一体化可能な台部、鏡絵や文字などを表示した扇部、および、該扇部の下部周囲を包囲可能な開き部を夫々立体形成可能とする展開カラー部品群を印刷すると共に、該展開カラー部品表示範囲以外の厚紙表面適所、および／または、厚紙裏面適所に、図または写真ならびに文章表示にて組み立て手順を表示可能とする説明表示部を印刷してなるクラフト紙に、立体化した場合の開き部底部および額部天部に貼着可能、且つ中央に軸孔を穿設または穿設可能としてなる補強紙、ならびに、各軸孔に縦貫可能な足割ピンを組み合わせてなるものとした構成を要旨とするねぷたペーパークラフトセットである。
【０００８】
この基本的な構成からなるねぷたペーパークラフトセットをより具体的なものとして示すならば、１枚または複数枚のＡ４判厚紙表面に、複数の展開図形状であって各部を切り抜き、糊代を接着して、額部、同額部を搭載状に一体化可能な台部、鏡絵や文字を表示した扇部、および、該扇部の下部周囲を包囲可能な開き部を夫々立体形成可能とする展開カラー部品群を印刷すると共に、該展開カラー部品表示範囲以外の厚紙表面適所、および／または、厚紙裏面適所に、図または写真ならびに文章表示にて組み立て手順を表示可能とする説明表示部を印刷してなるクラフト紙に、立体化した場合の開き部底部および額部天部に貼着可能、且つ中央に軸孔を穿設または穿設可能としてなる補強紙、ならびに、各軸孔に縦貫可能な足割ピンを組み合わせてなるものとした構成からなるねぷたペーパークラフトセットとなる。
【０００９】
（関連する考案）
上記したねぷたペーパークラフトセットに関連し、この考案には、そのねぷたペーパークラフトセットを利用したねぷた装飾品も包含している。
即ち、この考案の基本をなす前記何れか記載のねぷたペーパークラフトセットの各クラフト紙展開カラー部品表示範囲から、各展開カラー部品を切り抜き、適宜糊代を接着して額部、同額部を搭載状に一体化した台部、鏡絵や文字を表示した扇部、および、該扇部の下部周囲を包囲可能な開き部を夫々立体形成し、該開き部底部および額部天部の夫々に１枚ずつ補強紙を貼着すると共に、該額部天部補強紙上に、開き部底部補強紙を重ね合わせるよう載置し、各補強紙の軸孔同士を足割ピンで縦貫、鉛直軸心回りに回転自在とするよう連結した上、当該開き部底部上に、扇部底壁を貼着一体化し、当該台部額部上に、開き部以上の扇部を回転自在に組み合わせ一体化してなるものとした、この考案の基本である、上記したとおりのねぷたペーパークラフトセットを利用したねぷた装飾品である。                                          
【考案の効果】
【００１０】
以上のとおり、この考案のねぷたペーパークラフトセットによれば、従前までのものとは違い、上記したとおりの固有の特徴ある構成から、１枚または複数枚のクラフト紙の各説明表示部を参照しながら、その製作手順に従って各クラフト紙の展開カラー部品表示範囲から複数の展開図形状に印刷表示してある展開カラー部品群を個別に切り抜き、各糊代を対応箇所夫々に接着して立体的に組み立てることにより、ねぷたの美しい色彩の鏡絵をそのままに再現したこの考案のねぷた装飾品を、誰でも簡単且つ短時間の中に作製可能とすることができ、しかも完成したねぷた装飾品は、その台部に搭載した額部天部と、扇部を結合した開き部底部との双方に補強紙を貼着し、それら積層状配置とした２枚の補強紙中央の各軸孔に縦貫するよう足割ピンを組み合わせて、充分な耐久強度を有する軸着部分を有するものとなるから、額部天部上に扇部を含む開き部以上が、鉛直軸心回りに円滑に回転するよう搭載、連結したものとすることができる上、高い耐久強度を確保して秀れた品質を確保することができ、同ねぷた装飾品の製作後には、台部に対する扇部の配置角度を変えたて外観形状を自由に変更しながら眺め、ねぷた祭りの良い思い出を永年に亘って飽きることなく楽しむことができる、秀れた装飾品、広告品および土産品などとして広く利用できるものになるという秀れた特徴が得られるものである。
【００１１】
加えて、１枚または複数枚のＡ４判厚紙からなるクラフト紙に主要な展開カラー部品群を印刷してなるものとすることで、携帯、輸送、保管などの取扱いが容易なサイズの封筒などに包装することが可能となり、販売し易く、しかも完成したねぷた装飾品の寸法も装飾品として大き過ぎず、小さ過ぎず、何処にでも飾り易い適度の大きさに設定することができるという秀れた利点が得られるものとなる。                                                                      
【考案を実施するための最良の形態】
【００１２】
上記したとおりの構成からなるこの考案の実施に際し、その最良もしくは望ましい形態について説明を加えることにする。
厚紙は、充分な強度を有してペーパークラフトに利用可能なクラフト紙であり、例えば板紙、ミルクカートン用紙、画用紙、ケント紙、和紙、段ボール原紙、白板紙、チップボール、黄ボール、キャリアテープ、または、それらの積層一体化した紙、もしくは、金属箔、樹脂皮膜などを被着、コーティングした紙などとすることができる外、金属箔や樹脂シートなどに置き換えることが可能であり、より具体的には、ＪＩＳ規格に準じた各種の厚紙とすることができ、特に、流通が多く取扱い容易なＡ判（Ａ列）やＢ判（Ｂ列）の規格に準ずる厚紙を利用するのが望ましく、後述する実施例に示すように、厚紙表面に展開カラー部品群を印刷すると共に、該展開カラー部品表示範囲以外の厚紙表面適所および／または厚紙裏面適所に、図または写真ならびに文章表示にて組み立て手順を表示可能とする説明表示部を印刷してなるクラフト紙とすることができ、さらに、展開カラー部品群の各部品に近接する周囲には、細く説明文や記号、符号など、説明表示部の説明内容を明確化するのに有効な各種情報も印刷表示したものとすることができる。
【００１３】
展開カラー部品群は、厚紙表面に印刷によって形成されたものであり、展開図形状であって各部を切り抜き、糊代を接着して、ねぷた装飾品用の各部部品を立体的に組み立て可能とするものであり、糊代を含む展開図形状の印刷部分か、糊代を含む展開図形状の外輪郭にミシン孔や薄肉線などを形成して切り抜き易くした印刷部分か、または、厚紙から切り出した展開図形状の印刷部分かの何れかであるということができ、後述する実施例に示すように、１枚または複数枚の厚紙表面に、ねぷたの山車を模った額部、同額部を搭載状に一体化可能な台部、鏡絵や文字を表示した扇部、および、該扇部の下部周囲を包囲可能な開き部を夫々立体形成可能とする部品群であるということができる。
【００１４】
展開カラー部品群の額部は、箱型の立体形状に組み立てると、台部上に一体的に固着可能であって、その上部には、扇部を含む開き部以上が、鉛直軸心回りに回転自在に搭載可能としてあり、後述する実施例に示すように、その天壁に、中央に足割ピン用の軸孔を貫通した補強紙を積層状に貼着可能としてなるものとすることができる。
【００１５】
展開カラー部品群の台部は、低い箱型台状の立体形状に組み立てると、額部を搭載状に一体化可能で、同額部以上の全体を安定的に支持可能とする機能を担うものであり、車輪を有する山車を模した模様を外表面に印刷表示してなるものとすることができる外、後述する実施例にも示してあるとおり、引き手部分を一体化可能としてなるものとすることができる。
【００１６】
展開カラー部品群の開き部は、下がわ窄まりの立体形状に組み立てると、鏡絵や文字を表示した扇部の底壁に一体化することとなって額部の天壁上に回転自在に搭載可能となるものであり、上下反転台形状の両端同士を糊代を介して接着し、俯瞰視で平面矩形状となるよう組み立て可能なものとすることができる外、同平面矩形状の周回りの一箇所または複数箇所に切断端を形成し、各切断端の一対をなす連結部分の中の少なくとも何れか一方端縁に糊代を形成したものとすることが可能であり、立体形状に組み立てた開き周壁下端の糊代か、または、底壁に、形状寸法が一致する矩形状であって中央に軸孔を貫通した補強紙を貼着、一体化可能としてなるものとすることができる。
【００１７】
展開カラー部品群の扇部は、厚い扇型の立体形状に組み立てると、開き周壁の下端中央に貼着、一体化可能なものとなり、扇形の正面および背面となる各扇面壁には、夫々ねぷたの絵柄となる三国志や水滸伝、源平の合戦、川中島の合戦、源義経などの様々な題材に基づく鏡絵を描き、鮮やかな配色となるよう着色するなどした上、天井壁、雲壁、肩壁などにも、適宜デザインの絵や模様、または広告などを適宜印刷表示したものとすることが可能である。
【００１８】
説明表示部は、厚紙表面の展開カラー部品表示範囲から外れた適所に、当該ねぷた装飾品の図または写真ならびに文章表示にて組み立て手順を表示可能とするものであり、また、別の薄い紙や、包装用封筒の適所などにねぷた装飾品の組み立て手順を説明した組み立て説明書を印刷表示し、当該ねぷたペーパークラフトセットに添付するようにしたものとすることができる。
【００１９】
補強紙は、扇部、開き部の底壁中央と、台部に搭載した額部天壁中央とを鉛直軸心回りに回転自在とするよう足割ピンを組み込み、連結可能とするよう補強する機能を担い、それら扇部、開き部、台部および額部などを印刷したクラフト紙と同等か、それ以上の厚みおよび／または強度を有する厚紙製のものとしなければならず、額部天壁に一致する寸法形状のものと、開き部底壁に一致する寸法形状のものとが有り、夫々の中央に足割ピン装着用の軸孔を穿設してなるものとしなければならず、後述する実施例に示すように、これら２枚の補強紙は、互いに同一寸法、形状のものとするよう一枚の厚紙に印刷表示し、切り抜いて２枚の補強紙に分離するようにしたものとすることが可能である。
【００２０】
足割ピンは、扇部、開き部の底壁を形成する補強紙の中央軸孔と、台部に搭載した額部天壁に装着した補強紙の中央軸孔とを鉛直軸心回りに回転自在に連結可能とする機能を分担するものであり、金属製や合成樹脂製などの塑性変形または弾性変形可能なピンであり、例えば、頭部から２本の足が延伸し、重ねた２枚の補強紙の軸孔を貫通した上、開脚状に変形して離脱不能に軸着可能とするものとすることが可能である外、金属製か、または合成樹脂製かの何れかのボルト・ナットやビス・ナット、またはそれらと同等の軸着、連結を可能とする他の部品に置き換えることが可能である。
以下では、図面に示すこの考案を代表する実施例と共に、その構造について詳述することとする。                                                                                                            
【実施例１】
【００２１】
図１のＮｏ．１クラフト紙の平面図、図２のＮｏ．２クラフト紙の平面図、図３のＮｏ．３クラフト紙の平面図、図４の補強紙を表示した厚紙の平面図、および、図５の補強紙を表示した厚紙の底面図に示す事例は、複数枚の厚紙１０，１１，１２表面に、複数の展開図形状であって各部を切り抜き、糊代を接着して、額部４、台部５、扇部２および開き部３を夫々立体形成可能とする展開カラー部品２，３，４，５群を印刷すると共に、該展開カラー部品１３表示範囲１３以外の厚紙１０，１１，１２表面適所に説明表示部１４を印刷してなるクラフト紙１０，１１，１２に、補強紙６，６ならびに足割ピン７を組み合わせてなるものとした、この考案のねぷたペーパークラフトセットにおける代表的な一実施例を示すものである。
【００２２】
それら各図からも明確に把握できるとおり、この考案のねぷたペーパークラフトセットは、Ｎｏ．１クラフト紙１０、Ｎｏ．２クラフト紙１１、Ｎｏ．３クラフト紙１２（何れもＡ４判サイズの白厚紙）、および、足割ピン７を仮装着した補強紙６，６用となる一段と厚い（硬い）白厚紙６０を１つの透明樹脂フィルム製袋（図示せず）に封入、包装してワンセットのペーパークラフト製品とするよう組み合わせたものであり、図１に示すように、当該Ｎｏ．１クラフト紙１０の厚紙表面には、例えば三国志などを滞在とした鏡絵や見送り絵、文字を表示した扇面前壁（鏡絵）２０、扇面背壁（見送り絵）２１、雲壁２２，２２、底壁２３および、個々に番号を表示した各糊代２４，２４，……を展開図形状に一体化した扇部２の主要部分と、同扇部２用の天井壁２５とが、カラー印刷によってカラー部品表示部１３とするよう表示してあり、該天井壁２５の中央には、広告または製造元などを印刷表示したものとすることができ、それら扇部２の主要部分および天井壁２５の各輪郭線部分には、それぞれ実線で切り線Ａを表示し、山折り箇所には破線で山折り線Ｂ、谷折り箇所には二点鎖線で谷折り線Ｃを夫々表示すると共に、各線種の意味を余白部分に説明表示部１４の一部として表示したものとしてある。
【００２３】
さらに、Ｎｏ．１クラフト紙１０表面の左上には、「ねぷたオリジナルペーパークラフト」といった製品名、および、「折れ線はボールペンなどでなぞっておくと作業が楽にできます。」など作業の勘どころや手順などを説明する文章を印刷した説明表示部１４の主要部分が表示してあり、同Ｎｏ．１クラフト紙１０表面の右上には、「Ｎｏ．１」の文字を印刷表示し、加えて、カラー部品表示部１３である扇部２の主要部分および天井壁２５に近接する周辺には、「扇（鏡）」「扇（見送り）」「裏にのり付けし鏡に接着」などの簡単な説明文を印刷表示したものとしてある。
【００２４】
図２に示すように、Ｎｏ．２クラフト紙１１表面の主要範囲となるカラー部品表示部１３には、広告を印刷した左右の各肩壁（肩文字）２６，２６、「く」字形または「Ｌ」字形の２枚に分割し、必要箇所夫々に糊代３１，３１，……を形成した展開図形状の開き部３、および、４面を連続した額周壁４０、額天壁４１および各所の糊代４２，４２，……を展開図形状に一体化表示した額部４を印刷し、その余白範囲には、前記Ｎｏ．１クラフト紙１０に倣った説明表示部１４を印刷、表示したものとしてある。
【００２５】
図３に示すように、Ｎｏ．３クラフト紙１２表面の左がわのカラー部品表示部１３には、台天壁５０、台周壁５１，５１，……および各糊代５２を展開図形状に一体化表示し、これとは別に引き手５３、左右支持杆５４，５４を展開、分離図形状に表示した台部５を印刷し、さらに、同表面左上に「ねぷたオリジナルペーパークラフト」同右上に「Ｎｏ．３」の文字を印刷すると共に、同表面の右がわ半分に設定した説明表示部１４には、当該「ねぷたオリジナルペーパークラフト」の組み立て手順を各工程毎の複数枚のカラー写真、および、短い説明文を伴って印刷、表示してあり、該説明文および説明写真群を参照して組み立て可能なものとしてある。
【００２６】
図４および図５に示すように、前記Ｎｏ．１〜３のクラフト紙１０，１１，１２より厚く、縦１４５ｍｍ、横７５ｍｍとした厚紙６０の表面の主要部分となるカラー部品表示部１３には、上部に前記扇部２底壁２３および前記開き部３底端糊代３１，３１，……に接着する補強紙６を、扇部２底壁２３の貼り付け位置を破線ハッチング範囲で表示し、また、開き部３底端糊代３１，３１，……の貼り付け位置を実線枠表示するよう印刷し、同カラー部品表示部１３の下部には、前記額部４天壁４１に貼着する補強紙６を印刷表示したものとした上、各補強紙６，６の各対角線（図示しない仮想）の交点となる中央には、所定直径の軸孔６１，６１を穿設し、何れか一方に足割ピン７を差し込んで開脚させ、仮着け状態にしたものとしてある。
【００２７】
（実施例１の作用・効果）
以上のとおりの構成からなるこの考案のねぷたペーパークラフトセットは、図６の切り出した各部品の平面図、図７の組み立て中の台部の斜視図、図８の台部上に搭載する額部の斜視図、図９の額天壁に貼着する補強紙の斜視図、図１０の額部を結合した台部の斜視図、図１１の底面がわから見た開き部の斜視図、図１２の補強紙を貼着した開き部の斜視図、図１３の底面がわから見た足割ピン装着補強紙貼着後の開き部の斜視図、図１４の足割ピン装着の補強紙の平面図、図１５の足割ピン装着補強紙を貼着した開き部の底面図、図１６の額部に開き部を足割ピンで連結した台部の斜視図、図１７の組み立て途中の扇部の斜視図、図１８の肩壁（肩文字）を貼着する扇部の斜視図、図１９の肩壁（肩文字）を貼着する扇部の斜視図、図２０の天井壁を貼着する扇部の斜視図、図２１の底壁を貼着する扇部の斜視図、図２２の組み合わせ関係の配置図、図２３のねぷた装飾品の正面図、および、図２４の開き部以上を回転させたねぷた装飾品の正面図に示すように、組み立てて利用することが可能であり、当該ねぷた装飾品を作製するには、まず、当該ねぷたペーパークラフトセットの包装を開封し、図１ないし図３の各Ｎｏ．１クラフト紙１０、Ｎｏ．２クラフト紙１１、Ｎｏ．３クラフト紙１２の各説明表示部１４，１４，……を参照しながら、各カラー部品表示部１３，１３，……の各部品の山折り線Ｂ、谷折り線Ｃ部分を夫々ボールペンなどでなぞってから、図６中に示すように、全ての部品を切り線Ａに沿って切り出し、組み立ての準備を行う。
【００２８】
次に、図３および図７ないし図１０に示すように、各説明表示部１４，１４，……に表示してある作業手順に従い、図３および図７に示すように、Ｎｏ．３クラフト紙１２から切り抜いた台部５の台天壁５０の中央から、額部４結合用となる左右の糊代部分５２，５２を切り起こすと共に、台周壁５１四角の各糊代５２，５２，……を対応箇所に夫々貼り合わせて、無底箱状に組み立てた上、図７および図８に示すように、前方寄りの左右周壁５１，５１には、２つ折り接着して強化した引き手５３左右端側に、２つ折り接着、強化し、各先端を結合した左右支持杆５４の基端を貼着し、台部５の組み立てを完了する。
【００２９】
図８に示すように、台部５台天壁５０上には、その左右がわに立ち上げた糊代部分５２，５２に、図２に示す、Ｎｏ．２クラフト紙１１から切り出して無底箱状に組み立てた額部４の額左右周壁４０，４０の下端内側壁を貼着、一体化すると共に、該額部４の額天壁４１に、図４、図５および図９に示すように、厚紙６０（表面下がわ）から切り抜いた補強紙６を積層状に貼着一体化して、図１０に示すように、額部４を搭載した台部５を完成させる。
【００３０】
図２および図１１に示すように、Ｎｏ．２クラフト紙１１から切り抜いた開き部３の２枚の開き周壁３０，３０の角部分に相当する箇所を夫々山折りすると共に、互いの開き周壁３０，３０の連続がわ端に形成した糊代３１，３１を対応適所に貼着一体化した上、同開き周壁３０，３０の基端がわに形成した各糊代３１，３１，……を内がわに向けて山折りし、図１２および図１３に示すように、それら内がわに折り曲げた各糊代３１，３１，……の上面に、図４および図５に示す、厚紙６０（表面上がわ）から切り抜いた補強紙６を、その印刷表示面が上向きとなる姿勢で掛け渡し、積層状に貼着一体化して開き部３を作製する。
【００３１】
図１４および図１５に示すように、開き部３に貼着一体化した補強紙６の中央に穿設してある軸孔６１には、足割ピン７の脚部を下向きに貫通するよう仮装着したものとしてあり、図１６に示すように、該開き部３底部となる補強紙６下面を額部４額天壁４１に貼着したもう１枚の補強紙６に重ね合わせるように配置させた上、当該足割ピン７の脚部を額天壁４１に貼着した補強紙６の軸孔６１（および額天壁４１の中央孔）に貫通し、開脚状に変形して離脱不能且つ鉛直軸心回りに回転自在に連結したものとする。
【００３２】
図１、図２、図１７ないし図２１に示すように、Ｎｏ．１クラフト紙１０から切り抜いた扇部２の主要部分の各折曲部分を折り曲げ、図１７に示すように、各糊代２４，２４，……を対応箇所に貼着し、左右雲壁２２，２２の各上がわに、図２に示す、Ｎｏ．２クラフト紙１１から切り抜いた左右肩壁（肩文字）２６，２６を、図１８および図１９に示すように貼着した上、図１に示す、Ｎｏ．１クラフト紙１０から切り抜いた天井壁２５を、図２０に示すように貼着し、さらに、図２１に示すように、底壁２３を対応する各糊代２４，２４，……に貼着して扇部２を完成させる。
【００３３】
このように作製した扇部２は、図１２，図１４および図２２に示すように、その底壁２３を、開き部３に一体化した補強紙６の上面に、その破線ハッチング印刷表示範囲に従って貼着一体化し、図２２に示すように、当該ねぷた装飾品を完成するものとなり、その部品配置および組み合わせは、図２３に示すようなものとしてあり、図２４中に実線矢印で示すように、台部５額部４に対して、開き部３および扇部２が、鉛直軸心（足割ピン７）回りに回転自在に連結したものとなる。                                                                              
【００３４】
（結  び）
叙述の如く、この考案のねぷたペーパークラフトセット、およびそれを利用したねぷた装飾品は、その新規な構成によって所期の目的を遍く達成可能とするものであり、しかも製造も容易で、従前からのペーパークラフト技術による「ねぷた装飾品」に比較し、開き部および扇部が台部額部に対して回転自在に連結しており、より実際の「ねぷた」に近い動きを実現化することに成功した上に、誰でも短時間の中に簡単に組み立てることができ、一段と付加価値の高いペーパークラフト技術による可動型のねぷた模型、装飾品の提供に期待を寄せる、弘前ねぷた祭りに参加する各種団体や観光協会などは固よりのこと、弘前ねぷた祭りを楽しむ地元一般市民や観光客においても高く評価され、広範に渡って利用、普及していくものになると予想される。                                                                                      
【図面の簡単な説明】
【００３５】
図面は、この考案のねぷたペーパークラフトセット、およびそれを利用したねぷた装飾品の技術的思想を具現化した代表的な幾つかの実施例を示すものである。
【図１】Ｎｏ．１クラフト紙を示す平面図である。
【図２】Ｎｏ．２クラフト紙を示す平面図である。
【図３】Ｎｏ．３クラフト紙を示す平面図である。
【図４】補強紙を表示した厚紙を示す平面図である。
【図５】補強紙を表示した厚紙を示す底面図である。
【図６】切り出した各部品を示す平面図である。
【図７】組み立て中の台部を示す斜視図である。
【図８】台部上に搭載する額部を示す斜視図である。
【図９】額天壁に貼着する補強紙を示す斜視図である。
【図１０】額部を結合した台部を示す斜視図である。
【図１１】底面がわから見た開き部を示す斜視図である。
【図１２】補強紙を貼着した開き部を示す斜視図である。
【図１３】底面がわから見た足割ピン装着補強紙貼着後の開き部を示す斜視図である。
【図１４】足割ピン装着の補強紙を示す平面図である。
【図１５】足割ピン装着補強紙を貼着した開き部を示す底面図である。
【図１６】額部に開き部を足割ピンで連結した台部を示す斜視図である。
【図１７】組み立て途中の扇部を示す斜視図である。
【図１８】肩壁（肩文字）を貼着する扇部を示す斜視図である。
【図１９】肩壁（肩文字）を貼着する扇部を示す斜視図である。
【図２０】天井壁を貼着する扇部を示す斜視図である。
【図２１】底壁を貼着する扇部を示す斜視図である。
【図２２】各部品の組み合わせ関係を示す配置図である。
【図２３】ねぷた装飾品を示す正面図である。
【図２４】開き部以上を回転させたねぷた装飾品を示す正面図である。
【符号の説明】
【００３６】
１      クラフト紙
１０    同  Ｎｏ．１クラフト紙
１１    同  Ｎｏ．２クラフト紙
１２    同  Ｎｏ．３クラフト紙
１３    同  カラー部品表示部
１４    同  説明表示部
２      扇部
２０    同  扇面前壁（鏡絵）
２１    同  扇面背壁（見送り絵）
２２    同  雲壁
２３    同  底壁
２４    同  糊代
２５    同  天井壁
２６    同  肩壁（肩文字）
３      開き部
３０    同  開き周壁
３１    同  糊代
４      額部
４０    同  額周壁
４１    同  額天壁
４２    同  糊代
５      台部
５０    同  台天壁
５１    同  台周壁
５２    同  糊代
５３    同  引き手
５４    同  左右支持杆
６      補強紙
６０    同  厚紙
６１    同  軸孔
７      足割ピン
Ａ      切り線
Ｂ      山折り線
Ｃ      谷折り線                                                                                              
【図１】
0003161683.tif 000003
【図２】
0003161683.tif 000004
【図３】
0003161683.tif 000005
【図４】
0003161683.tif 000006
【図５】
0003161683.tif 000007
【図６】
0003161683.tif 000008
【図７】
0003161683.tif 000009
【図８】
0003161683.tif 000010
【図９】
0003161683.tif 000011
【図１０】
0003161683.tif 000012
【図１１】
0003161683.tif 000013
【図１２】
0003161683.tif 000014
【図１３】
0003161683.tif 000015
【図１４】
0003161683.tif 000016
【図１５】
0003161683.tif 000017
【図１６】
0003161683.tif 000018
【図１７】
0003161683.tif 000019
【図１８】
0003161683.tif 000020
【図１９】
0003161683.tif 000021
【図２０】
0003161683.tif 000022
【図２１】
0003161683.tif 000023
【図２２】
0003161683.tif 000024
【図２３】
0003161683.tif 000025
【図２４】
0003161683.tif 000026
【手続補正書】
【提出日】平成22年6月28日(2010.6.28)
【手続補正１】
【補正対象書類名】図面
【補正対象項目名】図１
【補正方法】変更
【補正の内容】
【図１】
0003161683.tif 000027
【手続補正２】
【補正対象書類名】図面
【補正対象項目名】図２
【補正方法】変更
【補正の内容】
【図２】
0003161683.tif 000028
【手続補正３】
【補正対象書類名】図面
【補正対象項目名】図２４
【補正方法】変更
【補正の内容】
【図２４】
0003161683.tif 000029